(57)【要約】【課題】他セルから自セルへのハンドオーバを原因とする通信の異常切断を低減することができる無線通信システムおよびハンドオーバ制御方法を提供する。【解決手段】第１セル（３５Ａ）を管理する基地局（３０Ａ）から第２セル（３５Ｂ）へのハンドオーバ要求を受けたときに、当該ハンドオーバをハンドオーバ抑制の度合いに従って抑制するハンドオーバ抑制部（１０２）と、ハンドオーバ抑制を原因とするハンドオーバ失敗を検出するハンドオーバ失敗検出部（１３）と、ハンドオーバ失敗の発生率に基づいてハンドオーバ抑制の度合いを調整するハンドオーバ抑制最適化部（２０３）と、を備える。【選択図】図３
2014024438.tif 000002
【特許請求の範囲】
【請求項１】
移動端末が接続するセルを管理する基地局を有する無線通信システムであって、
第１セルを管理する基地局から第２セルへのハンドオーバ要求を受けたときに、当該ハンドオーバをハンドオーバ抑制の度合いに従って抑制するハンドオーバ抑制手段と、
前記ハンドオーバ抑制を原因とするハンドオーバ失敗を検出するハンドオーバ失敗検出手段と、
前記ハンドオーバ失敗の発生率に基づいて前記ハンドオーバ抑制の度合いを調整するハンドオーバ抑制最適化手段と、
を備えることを特徴とする無線通信システム。
【請求項２】
前記ハンドオーバ抑制手段は、前記ハンドオーバ要求への応答を所定の時間だけ保留することにより前記ハンドオーバを抑制することを特徴とする請求項１に記載の無線通信システム。
【請求項３】
前記ハンドオーバ抑制手段は、前記ハンドオーバ要求への応答を保留する時間を前記第１セルに固有な時間に設定することを特徴とする請求項２に記載の無線通信システム。
【請求項４】
前記ハンドオーバ抑制最適化手段は、前記ハンドオーバ要求への応答を保留する時間を変更することで前記ハンドオーバ抑制の度合いを調整することを特徴とする請求項２または３に記載の無線通信システム。
【請求項５】
移動端末の移動状態に基づいた選択基準に従ってハンドオーバを抑制すべき移動端末を選択する移動端末選択手段をさらに備えることを特徴とする請求項１−４のいずれか１項に記載の無線通信システム。
【請求項６】
前記ハンドオーバ抑制手段は、前記移動端末選択手段が選択した移動端末を対象としたハンドオーバのみを抑制することを特徴とする請求項５に記載の無線通信システム。
【請求項７】
前記ハンドオーバ抑制最適化手段は、前記選択基準を変更することで前記ハンドオーバ抑制の度合いを調整することを特徴とする請求項５または６に記載の無線通信システム。
【請求項８】
前記選択基準は前記移動端末の移動速度における所定の閾値を基準にすることを特徴とする請求項５−７のいずれか１項に記載の無線通信システム。
【請求項９】
前記選択基準は前記移動端末の過去に滞在したセルの滞在時間における所定の閾値を基準にすることを特徴とする請求項５−７のいずれか１項に記載の無線通信システム。
【請求項１０】
移動端末の移動状態に基づいた選択基準に従ってハンドオーバを抑制すべき移動端末を選択する移動端末選択手段をさらに備え、
前記ハンドオーバ抑制手段は、前記第１セルを管理する基地局に対して、前記ハンドオーバ要求を拒否する応答を返すことにより前記ハンドオーバを抑制する、
ことを特徴とする請求項１に記載の無線通信システム。
【請求項１１】
前記ハンドオーバ抑制手段は、前記移動端末選択手段が選択した移動端末を対象としたハンドオーバのみを抑制することを特徴とする請求項１０に記載の無線通信システム。
【請求項１２】
前記ハンドオーバ抑制最適化手段は、前記選択基準を変更することで前記ハンドオーバ抑制の度合いを調整することを特徴とする請求項１０または１１に記載の無線通信システム。
【請求項１３】
前記選択基準は前記移動端末の移動速度における所定の閾値を基準にすることを特徴とする請求項１０−１２のいずれか１項に記載の無線通信システム。
【請求項１４】
前記選択基準は前記移動端末の過去に滞在したセルの平均滞在時間における所定の閾値を基準にすることを特徴とする請求項１０−１２のいずれか１項に記載の無線通信システム。
【請求項１５】
前記ハンドオーバ抑制手段は、前記ハンドオーバの抑制対象である移動端末が過去に所定の回数を超えてハンドオーバを抑制されていた場合、前記ハンドオーバ要求を拒否する応答を返すことを特徴とする請求項１０−１４のいずれか１項に記載の無線通信システム。
【請求項１６】
前記ハンドオーバ抑制手段は、前記ハンドオーバ要求への応答を所定の時間だけ保留することにより前記ハンドオーバを抑制し、
前記ハンドオーバ抑制最適化手段は、前記ハンドオーバ失敗の発生率に基づいて前記ハンドオーバ要求への応答を保留する時間を変更し、
前記ハンドオーバ抑制手段は、前記保留時間が所定値を超える場合、前記ハンドオーバ要求を拒否する応答を返すことを特徴とする請求項１０−１４のいずれか１項に記載の無線通信システム。
【請求項１７】
移動端末が接続するセルを管理する基地局を有する無線通信システムにおけるハンドオーバ制御方法であって、
第１セルを管理する基地局から第２セルへのハンドオーバ要求を受けたときに、当該ハンドオーバをハンドオーバ抑制の度合いに従って抑制し、
前記ハンドオーバ抑制を原因とするハンドオーバ失敗を検出し、
前記ハンドオーバ失敗の発生率に基づいて前記ハンドオーバ抑制の度合いを調整する、
ことを特徴とするハンドオーバ制御方法。
【請求項１８】
前記ハンドオーバ要求への応答を所定の時間だけ保留することにより前記ハンドオーバを抑制することを特徴とする請求項１７に記載のハンドオーバ制御方法。
【請求項１９】
前記ハンドオーバ要求への応答を保留する時間を前記第１セルに固有な時間に設定することを特徴とする請求項１８に記載のハンドオーバ制御方法。
【請求項２０】
前記ハンドオーバ要求への応答を保留する時間を変更することで前記ハンドオーバ抑制の度合いを調整することを特徴とする請求項１８または１９に記載のハンドオーバ制御方法。
【請求項２１】
移動端末の移動状態に基づいた選択基準に従ってハンドオーバを抑制すべき移動端末を選択する、ことを特徴とする請求項１７−２０のいずれか１項に記載のハンドオーバ制御方法。
【請求項２２】
前記選択された移動端末を対象としたハンドオーバのみを抑制することを特徴とする請求項２１に記載のハンドオーバ制御方法。
【請求項２３】
前記選択基準を変更することで前記ハンドオーバ抑制の度合いを調整することを特徴とする請求項２１または２２に記載のハンドオーバ制御方法。
【請求項２４】
前記選択基準は前記移動端末の移動速度における所定の閾値を基準にすることを特徴とする請求項２１−２３のいずれか１項に記載のハンドオーバ制御方法。
【請求項２５】
前記選択基準は前記移動端末の過去に滞在したセルの平均滞在時間における所定の閾値を基準にすることを特徴とする請求項２１−２３のいずれか１項に記載のハンドオーバ制御方法。
【請求項２６】
移動端末の移動状態に基づいた選択基準に従ってハンドオーバを抑制すべき移動端末を選択し、
前記第１セルを管理する基地局に対して前記ハンドオーバ要求を拒否する応答を返すことにより前記ハンドオーバを抑制する、
ことを特徴とする請求項１７に記載のハンドオーバ制御方法。
【請求項２７】
前記選択された移動端末を対象としたハンドオーバのみを抑制することを特徴とする請求項２６に記載のハンドオーバ制御方法。
【請求項２８】
前記選択基準を変更することで前記ハンドオーバ抑制の度合いを調整することを特徴とする請求項２６または２７に記載のハンドオーバ制御方法。
【請求項２９】
前記選択基準は前記移動端末の移動速度における所定の閾値を基準にすることを特徴とする請求項２６−２８のいずれか１項に記載のハンドオーバ制御方法。
【請求項３０】
前記選択基準は前記移動端末の過去に滞在したセルの平均滞在時間における所定の閾値を基準にすることを特徴とする請求項２６−２８のいずれか１項に記載のハンドオーバ制御方法。
【請求項３１】
前記ハンドオーバの抑制対象である移動端末が過去に所定の回数を超えてハンドオーバを抑制されていた場合、前記ハンドオーバ要求を拒否する応答を返すことを特徴とする請求項２６−３０のいずれか１項に記載のハンドオーバ制御方法。
【請求項３２】
前記ハンドオーバ要求への応答を所定の時間だけ保留することにより前記ハンドオーバを抑制し、
前記ハンドオーバ失敗の発生率に基づいて前記ハンドオーバ要求への応答を保留する時間を変更し、
前記保留時間が所定値を超える場合、前記ハンドオーバ要求を拒否する応答を返すことを特徴とする請求項２６−３０のいずれか１項に記載のハンドオーバ制御方法。
【請求項３３】
無線通信システムにおいて移動端末が接続するセルを管理する基地局であって、
第１セルを管理する基地局から第２セルへのハンドオーバ要求を受けたときに、当該ハンドオーバをハンドオーバ抑制の度合いに従って抑制するハンドオーバ抑制手段と、
前記ハンドオーバ抑制を原因とするハンドオーバ失敗を検出するハンドオーバ失敗検出手段と、
前記ハンドオーバ失敗の発生率に基づいて前記ハンドオーバ抑制の度合いを調整するハンドオーバ抑制最適化手段と、
を有することを特徴とする基地局。
【請求項３４】
前記ハンドオーバ失敗に関する統計情報をネットワーク管理システムへ通知し、前記統計情報に基づいて調整された前記ハンドオーバ抑制の度合い情報を受け取って前記ハンドオーバ抑制手段を制御する制御手段を更に有することを特徴とする請求項３３に記載の基地局。
【請求項３５】
移動端末が接続するセルを管理する基地局を有する無線通信システムにおけるハンドオーバ最適化方法であって、
第１セルを管理する基地局から第２セルへのハンドオーバ要求を受けたときに、当該ハンドオーバをハンドオーバ抑制の度合いに従って抑制し、
前記ハンドオーバ抑制を原因とするハンドオーバ失敗を検出し、
前記ハンドオーバ失敗の発生率に基づいて前記ハンドオーバ抑制の度合いを調整する、
ことを特徴とするハンドオーバ最適化方法。
【発明の詳細な説明】
【技術分野】
【０００１】
本発明は複数セルを有する無線通信システムに係り、特にハンドオーバ制御機能を備えた無線通信システムおよびハンドオーバ制御方法に関する。
【背景技術】
【０００２】
複数のセルを管理する複数の基地局を有する無線通信システムでは、移動端末が接続中のセルから他のセルに移動する際、ハンドオーバ（以下、適宜、ＨＯと略記する。）と呼ばれる接続先のセルの切替処理が行われ、それによりセル間で移動端末の通信を継続することができる。移動端末のハンドオーバを実現するには、まず、接続中のセル（以下、ソースセル（source cell）という。）を管理する基地局が、移動端末に対して、所定のイベントが発生した場合に測定報告を送信するように指示しておく。所定のイベントとしては、例えばソースセルの無線品質の劣化などがある。移動端末による測定報告は、ソースセルおよびその隣接セル群の無線品質の測定結果を含む。基地局は、移動端末から測定報告を受信すると、測定報告に基づいて切り替え先のセル（以下、ターゲットセル（target cell）という。）を決定し、移動端末およびターゲットセルとのシグナリングを含むハンドオーバ手順を開始する。【０００３】
測定報告送信のトリガとなるイベントの一例がＬＴＥ（Long Term Evolution）/ Ｅ−ＵＴＲＡＮ (Evolved UTRAN)による非特許文献１に規定されている。非特許文献１においてＥｖｅｎｔ Ａ３ (Neighbor becomes offset better than serving)として規定された報告イベントの本質的部分は以下の式（１）によって表わされる。【０００４】
Ps + Os < Pt + Ot  ・・・（１）
ここで、Ｐｓはソースセルの無線品質の測定結果、Ｐｔは隣接セルの無線品質の測定結果、Ｏｓはソースセルの無線品質に対するオフセット値、Ｏｔは隣接セルの無線品質に対するオフセット値である。【０００５】
ＬＴＥの場合、Ｐｓ及びＰｔは下りリファレンス信号の受信電力ＲＳＲＰ（Reference Signal Received Power）又は基準信号受信品質ＲＳＲＱ（Reference Signal Received Quality）である。ＲＳＲＱは総受信電力ＲＳＳＩ（Received Signal Strength Indicator)に対するＲＳＲＰの比率である。また、式（１）中のＯｓはソースセルの下りリファレンス信号の無線品質に作用し、Ｏｔは隣接セルの下りリファレンス信号の無線品質に作用する。【０００６】
Ｏｔは、一般に、セル個別オフセットＣＩＯ（Cell Individual Offset）と呼ばれるハンドオーバ・パラメータであり、隣接リストに登録された隣接セルごとに異なるオフセット値を設定することができる。ＣＩＯは、基地局が管理するセルに接続する移動端末に対して当該基地局が通知する隣接リストに含まれる。【０００７】
基地局に式（１）の動作条件が設定されると、その基地局が管理するセルに接続する移動端末に対して式（１）の動作条件が通知される。移動端末は、ソースセルの無線品質及び隣接セルの無線品質のそれぞれの測定結果ＰｓおよびＰｔが式（１）の条件を満たせば、それをトリガとして、当該ソースセルを管理する基地局へ測定報告を送信する。【０００８】
基地局は、移動端末から測定報告を受信すると、測定報告に基づきターゲットセルを決定し、ターゲットセルへのハンドオーバ処理を開始する。このとき、ハンドオーバの開始が遅すぎると、ターゲットセルへのハンドオーバを完了する前にソースセルの無線品質が所要品質を下回ってしまい通信の異常切断が発生する。一方、ハンドオーバの開始が早すぎると、ターゲットセルへのハンドオーバを完了した直後にターゲットセルの無線品質が所要品質を下回ってしまい通信の異常切断が発生する。【０００９】
ターゲットセルへのハンドオーバのタイミングが遅すぎて失敗する場合（以下、「Too Late HO」という。）には、ＣＩＯ（すなわち、式（１）におけるオフセット値Ｏｔ）を増やすことによりハンドオーバのタイミングを早めてハンドオーバの成功率を改善できる。一方、ターゲットセルへのハンドオーバのタイミングが早すぎて失敗する場合（以下、「Too Early HO」という。）には、ＣＩＯを減らすことによりハンドオーバのタイミングを遅くしてハンドオーバの成功率を改善できる。したがって、上述したオフセット値Ｏｔ（ＣＩＯ）等のハンドオーバ・パラメータを動的に調節することでハンドオーバ失敗を低減することが可能となる。【００１０】
たとえば、特許文献１には、端末の測定報告に基づき、ＴＴＴ(Time-To-Trigger)やＣＩＯ等のＨＯパラメータをセル単位で動的に調節することでＨＯ失敗（Too Late HO，Too Early HO）を低減するハンドオーバ最適化方法が開示されている。【００１１】
非特許文献２によれば、無線回線の異常切断（ＲＬＦ：Radio Link Failure）を伴うハンドオーバ失敗の３つの種別、すなわち“Too Late Handover”、“Too Early Handover”、及び“Handover to Wrong Cell”を下記のとおり定義している（22.4.2）。本明細書では、ハンドオーバ失敗（ＨＯ失敗）として、これら３つの種別のハンドオーバ失敗を扱う。【００１２】
＜Too Late HO＞
Too Late Handoverは、ハンドオーバ処理の実行中にソースセル(source)でＲＬＦを経験した移動端末（UE）がターゲットセル（target）に接続再確立（無線リンクの再確立を含む）を試みたときの、ソースセルからターゲットセルへのハンドオーバである。又は、ハンドオーバの開始前にソースセルでＲＬＦを経験した移動端末がソースセルとは異なるセルに接続再確立を試みたときの、ソースセルで生じるＲＬＦである。【００１３】
＜Too Early HO＞
Too Early Handoverは、ハンドオーバ処理の実行中又はハンドオーバの完了直後にターゲットセルでＲＬＦを経験した移動端末がソースセルに接続再確立を試みたときの、ソースセルからターゲットセルへのハンドオーバである。【００１４】
＜HO to Wrong Cell＞
Handover to Wrong Cellは、ハンドオーバ処理の実行中又はハンドオーバの完了直後にソースセル又はターゲットセルでＲＬＦを経験した移動端末がソースセル及びターゲットセルのいずれとも異なるセル(neighbor)に接続再確立を試みたときの、ソースセルからターゲットセルへのハンドオーバである。
【先行技術文献】
【特許文献】
【００１５】
【特許文献１】国際特許公開第２０１０／００２９２６Ａ１号明細書
【非特許文献】
【００１６】
【非特許文献１】3GPP TS36.331 v.9.3.0 (5.5.4.4, pages 75-76)
【非特許文献２】3GPP TS36.300 v.9.7.0（22.4.2, pages 158-159）
【発明の概要】
【発明が解決しようとする課題】
【００１７】
しかしながら、他セルのＨＯパラメータを調節できない環境では、他セルからの入ハンドオーバ（Incoming HO）の完了が早すぎるあるいは遅すぎると、自セルのＨＯパラメータを調節しても自セルのＨＯ失敗を解消できない場合がある。以下、図１および図２を参照して、このようなＨＯ失敗が生じる状況について説明する。【００１８】
図１はハンドオーバ失敗の一例を説明するための模式的なシステム構成図であり、図２は移動端末のハンドオーバにおけるソースセルおよびターゲットセルの受信品質の時間変化を示すグラフである。まず、図１に示す無線通信システムにおいて、基地局（ｅＮＢ）３０Ａおよび３０Ｂがセル３５Ａおよびセル３５Ｂをそれぞれ管理し、セル３５Ａ内にセル３５Ｂがあり、セル３５Ｂを移動端末（UE）１０（ここでは低速の移動端末１０ａ、高速の移動端末１０ｂ）が通信を継続しながら通過するものとする。【００１９】
このように、セル３５Ａ内に低速移動端末１０ａまたは高速移動端末１０ｂが存在するとき、低速移動端末１０ａが、図２（Ａ）に示すように、セル３５Ｂに入り切る前にハンドオーバを完了し、その直後に異常切断ＲＬＦが生じる場合がある。また、高速移動端末１０ｂが、図２（Ｂ）に示すように、セル３５Ｂを通り抜ける直前にハンドオーバを完了し、その直後にＲＬＦが生じる場合がある。【００２０】
特許文献１に開示されたハンドオーバ最適化方法によれば、自セルから他セルへのハンドオーバ開始タイミングを調整することはできるが、他セルから自セルへのハンドオーバ開始タイミングを調整することができない。したがって、他セルのＨＯパラメータが適切に設定されていなかった場合、自セルへハンドオーバした直後に通信の異常切断が発生しても自セル側ではこの問題を解消することができない。特に、自セルの基地局と他セルの基地局のベンダが異なる場合に、このようなハンドオーバ失敗が生じやすい。【００２１】
そこで、本発明の目的は、他セルから自セルへのハンドオーバを原因とする通信の異常切断を低減することができる無線通信システムおよびハンドオーバ制御方法を提供することにある。
【課題を解決するための手段】
【００２２】
本発明による無線通信システムは、移動端末が接続するセルを管理する基地局を有する無線通信システムであって、第１セルを管理する基地局から第２セルへのハンドオーバ要求を受けたときに、当該ハンドオーバをハンドオーバ抑制の度合いに従って抑制するハンドオーバ抑制手段と、前記ハンドオーバ抑制を原因とするハンドオーバ失敗を検出するハンドオーバ失敗検出手段と、前記ハンドオーバ失敗の発生率に基づいて前記ハンドオーバ抑制の度合いを調整するハンドオーバ抑制最適化手段と、を備えることを特徴とする。
本発明によるハンドオーバ制御方法は、移動端末が接続するセルを管理する基地局を有する無線通信システムにおけるハンドオーバ制御方法であって、第１セルを管理する基地局から第２セルへのハンドオーバ要求を受けたときに、当該ハンドオーバをハンドオーバ抑制の度合いに従って抑制し、前記ハンドオーバ抑制を原因とするハンドオーバ失敗を検出し、前記ハンドオーバ失敗の発生率に基づいて前記ハンドオーバ抑制の度合いを調整する、ことを特徴とする。
【発明の効果】
【００２３】
本発明によれば、他セルから自セルへのハンドオーバを原因とする通信の異常切断を低減することができる。
【図面の簡単な説明】
【００２４】
【図１】図１はハンドオーバ失敗の一例を説明するための模式的なシステム構成図である。
【図２】図２は移動端末のハンドオーバにおけるソースセルおよびターゲットセルの受信品質の時間変化を示すグラフである。
【図３】図３は本発明の第１実施形態による無線通信システムにおける基地局およびネットワーク管理システムの概略的構成を示すブロック図である。
【図４】図４は第１実施形態による基地局の動作を示すフローチャートである。
【図５】図５（Ａ）はToo Late HOを示すシーケンス図、図５（Ｂ）はToo Early HOを示すシーケンス図、図５（Ｃ）はHO to Wrong Cellを示すシーケンス図である。
【図６】図６は第１実施形態におけるＨＯ失敗検出を示すフローチャートである。
【図７】図７は第１実施形態によるＨＯ最適化動作を示すフローチャートである。
【図８】図８は本発明の第２実施形態による無線通信システムにおける基地局およびネットワーク管理システムの概略的構成を示すブロック図である。
【図９】図９は第２実施形態による基地局の動作を示すフローチャートである。
【図１０】図１０は本発明の第３実施形態による基地局の動作例を示すフローチャートである。
【図１１】図１１は本発明の第４実施形態による基地局の動作例を示すフローチャートである。
【図１２】図１２は本発明の第５実施形態による基地局の動作例を示すフローチャートである。
【発明を実施するための形態】
【００２５】
以下に述べる本発明の実施形態によれば、他セルを管理する基地局からハンドオーバの要求を受けると、他セルから自セルへのハンドオーバを抑制し、ハンドオーバ抑制後のハンドオーバ品質に応じてハンドオーバ抑制の度合いを調整する。これにより、他セルのＨＯパラメータを調節できない環境における他セルからの入ハンドオーバを原因とするハンドオーバ失敗を低減することができる。以下、本発明の実施形態について詳細に説明する。
【００２６】
１．第１実施形態
１．１）システム構成
図３は本発明の第１実施形態による無線通信システムにおける基地局およびネットワーク管理システムの概略的構成を示すブロック図である。図３において、基地局（ｅＮＢ）３０Ａおよび３０Ｂがセル３５Ａおよびセル３５Ｂをそれぞれ管理し、セル３５Ａ内にセル３５Ｂがある。さらにセル３５Ａおよび３５Ｂに隣接するように別のセル３５Ｃが配置され、基地局３０Ｃがセル３５Ｃを管理しているものとする。また、ネットワーク管理システム２０が設けられ、基地局間ハンドオーバの最適化制御を行う。なお、本発明は図３に示すシステム構成に限定されるものではなく、任意のセル配置におけるセル間ハンドオーバに適用可能である。
【００２７】
以下の説明では、図３に示すように、移動端末１０がセル３５Ａからセル３５Ｂに入り、セル３５Ｂにおいて基地局３０Ａから基地局３０Ｂへのハンドオーバに失敗し、そのまま別のセル３５Ｃへ入って基地局３０Ｃと再接続する場合を一例として説明する。移動端末１０がセル３５Ａからセル３５Ｂに入る場合(Incoming HO；入ハンドオーバ)は、セル３５Ａがソースセル、セル３５Ｂがターゲットセルとなる。また、移動端末１０がセル３５Ｂからセル３５Ａ／３５Ｃへ出て行く場合(Outgoing HO；出ハンドオーバ)は、セル３５Ｂがソースセル、セル３５Ａ／３５Ｃがターゲットセルとなる。
【００２８】
基地局３０Ａ、３０Ｂおよび３０Ｃは同じ構成を有するが、図３では本実施形態の説明に関連する部分のみが図示されている。基地局３０Ａにはハンドオーバ制御を実行するハンドオーバ制御部１０１Ａが、基地局３０Ｂにはハンドオーバ制御部１０１Ｂが、基地局３０Ｃにはハンドオーバ制御部１０１Ｃが、それぞれ備えられている。さらに、セル３５Ｂを管理する基地局３０Ｂは、本実施形態の動作に関連する機能として、ハンドオーバ抑制部１０２およびハンドオーバ失敗検出部１０３を有する。
【００２９】
後述するように、ハンドオーバ抑制部１０２は、セル３５Ａを管理する基地局３０Ａからハンドオーバ要求を受信したとき、それに対するハンドオーバ応答の送信を所定時間Ｔだけ保留する。移動端末１０がセル３５Ｃで基地局３０Ｃと再接続した場合には、基地局３０Ｃは後述するハンドオーバ失敗情報を基地局３０Ｂへ通知する。ハンドオーバ失敗検出部１０３は、セル３５Ｃを管理する基地局３０Ｃからハンドオーバ失敗情報を取得すると、セル３５ＢへのIncoming HOの失敗およびセル３５ＢからのOutgoing HOの失敗を検出し、検出したハンドオーバ失敗数を含むハンドオーバ統計情報をネットワーク管理システム２０へ報告する。
【００３０】
ネットワーク管理システム２０はハンドオーバ最適化部２０１および品質統計記憶部２０２を有し、ハンドオーバ最適化部２０１にはハンドオーバ抑制最適化部２０３が設けられている。後述するように、品質統計記憶部２０２は各基地局からハンドオーバ統計情報を取得し、ハンドオーバ最適化部２０１は、ハンドオーバを抑制した後のハンドオーバ品質に応じて、基地局に対してハンドオーバ抑制パラメータを設定する。
【００３１】
ハンドオーバ失敗（ＨＯ失敗）には、既に述べたように、Too Late HO、Too Early HOおよびHO to Wrong Cellの３種類がある。ハンドオーバ失敗情報としては、例えば3GPP TS36.423 v.9.5.0において規定されているRLF IndicationやHandover Reportを利用することができる（9.1.2.18および9.1.2.19）。RLF Indicationは、異常切断を生じた移動端末の識別情報、異常切断の直前に接続していたセルの識別情報、異常切断後に再接続したセルの識別情報を含む。Handover Reportは、ソースセルとターゲットセルの識別情報、ハンドオーバ失敗の種別を含む。以下、本実施形態による基地局およびネットワーク管理システム２０の動作について図面を参照しながら詳細に説明する。
【００３２】
１．２）基地局の動作
図４は第１実施形態による基地局の動作を示すフローチャートである。図４において、まず、基地局３０Ｂのハンドオーバ抑制部１０２はネットワーク管理システム２０からハンドオーバ抑制パラメータを取得する（動作Ｓ１０１）。本実施形態において、ハンドオーバ抑制パラメータはハンドオーバ応答の保留時間Ｔである。
【００３３】
続いて、ハンドオーバ制御部１０１Ｂが基地局３０Ａから移動端末１０のハンドオーバ要求を受信すると（動作Ｓ１０２；ＹＥＳ）、ハンドオーバ抑制部１０２は、ハンドオーバ要求に対する応答の送信をハンドオーバ抑制パラメータで指定された時間Ｔだけ保留し（動作Ｓ１０３）、保留時間Ｔが経過した時点でハンドオーバ許可の応答を基地局３０Ａへ返す（動作Ｓ１０４）。
【００３４】
続いて、ハンドオーバ失敗検出部１０３は、セル３５Ｃを管理する基地局３０Ｃからハンドオーバ失敗情報を取得すると、後述するようにハンドオーバ失敗の分析を行い（動作Ｓ１０５）、Incoming HOの要求数および失敗数とOutgoing HOの成功数および失敗数とを集計し（動作Ｓ１０６およびＳ１０７）、ハンドオーバ統計情報をネットワーク管理システム２０へ報告する（動作Ｓ１０８）。ハンドオーバ統計情報には、動作Ｓ１０６およびＳ１０７で集計されたIncoming HOの要求数および失敗数とOutgoing HOの成功数および失敗数とが含まれる。以下、ハンドオーバ失敗検出について詳細に説明する。
【００３５】
１．３）Outgoing HO失敗検出
ハンドオーバ失敗検出部１０３は、ハンドオーバ失敗情報（すなわち、RLF IndicationおよびHandover Report）を用い、以下の条件に一致するか否かによってセル３５ＢからのOutgoing HOの失敗を検出することができる。
【００３６】
＜Too Late HO＞
図５（Ａ）に示すように、ソースセルの基地局は、ターゲットセル （ハンドオーバが開始されている場合）、又はソースセルとは異なるセル（ハンドオーバが開始されていない場合）からRLF-Indicationメッセージを受信したこと、かつ、RLF-Indication受信に先立つ所定期間内(Tstore_UE_cntxt)に他のセルへUE Context Releaseメッセージを送信していないこと、を条件としてToo Late HOを検出することができる。
【００３７】
＜Too Early HO＞
図５（Ｂ）に示すように、ターゲットセルの基地局は、ソースセルの基地局からRLF-Indicationメッセージを受信すると、RLF-Indication受信に先立つ所定期間内(Tstore_UE_cntxt)にUE Context Releaseメッセージをソースセルの基地局へ既に送信しているならば、Too Early HOを示すHandover Reportメッセージをソースセルの基地局へ送信する。したがって、ソースセルの基地局は、Handover Reportメッセージを受信したこと、かつ、Handover Report Type IEがToo Early HOを示すこと、を条件としてToo Early HOを検出することができる。
【００３８】
＜HO to Wrong Cell＞
図５（Ｃ）に示すように、ターゲットセルの基地局は、隣接セルからRLF-Indicationメッセージを受信すると、RLF-Indication受信に先立つ所定期間内(Tstore_UE_cntxt)にUE Context Releaseメッセージをソースセルの基地局へ既に送信しているならば、HO to Wrong Cellを示すHandover Reportメッセージをソースセルの基地局へ送信する。したがって、ソースセルの基地局は、Handover Reportメッセージを受信したこと、かつ、Handover Report Type IEがHO to Wrong Cellを示すこと、を条件としてHO to Wrong Cellを検出することができる。
【００３９】
＜ハンドオーバの成功＞
ハンドオーバの成功は、ターゲットセルからハンドオーバの完了を示すUE Context Releaseメッセージを受信したハンドオーバのうち上記Too Early HOおよびHO to Wrong Cellを除くことで検出することができる。
【００４０】
１．４）Incoming HO失敗検出
次に、ハンドオーバ失敗検出部１０３によるIncoming HO失敗の検出について図６を参照しながら説明する。
【００４１】
図６はＨＯ失敗検出におけるIncoming HO失敗の検出を示すフローチャートである。図６において、ハンドオーバ失敗検出部１０３は、RLF Indicationメッセージを受信したか否かを判定する（動作Ｓ２０１）。RLF Indicationメッセージの受信があれば（動作Ｓ２０１；ＹＥＳ）、異常切断を生じた移動端末（以下、端末ＵＥａという。）の識別情報を取得する（動作Ｓ２０２）。続いて、ハンドオーバ失敗検出部１０３は、端末ＵＥａが直前に接続したセルＸの識別情報を取得する（動作Ｓ２０３）。続いて、ハンドオーバ失敗検出部１０３は、所定期間内に端末ＵＥａのハンドオーバ完了メッセージをセルＸへ送信したか否かを判定し（動作Ｓ２０４）、送信していれば（動作Ｓ２０４；ＹＥＳ）、Incoming HO失敗を検出して（動作Ｓ２０５）、処理を終了する。なお、端末ＵＥａがＨＯ抑制対象でない場合には（動作Ｓ２０４；ＮＯ）、そのまま処理を終了する。
【００４２】
RLF Indicationメッセージの受信がなければ（動作Ｓ２０１；ＮＯ）、基地局３０Ｂのハンドオーバ失敗検出部１０３はセル３５Ｂに再接続を試行した移動端末があるか否かを判定し（動作Ｓ２０６）、再接続を試行した移動端末（以下、端末ＵＥｂという。）があれば（動作Ｓ２０６；ＹＥＳ）、当該端末ＵＥｂの識別情報を取得する（動作Ｓ２０７）。続いて、ハンドオーバ失敗検出部１０３は、端末ＵＥｂが直前に接続したセルＹの識別情報を取得する（動作Ｓ２０８）。続いて、ハンドオーバ失敗検出部１０３は、端末ＵＥｂのHO ReportメッセージをセルＹから受信したか否かを判定し（動作Ｓ２０９）、HO ReportメッセージをセルＹから受信していなければ（動作Ｓ２０９；ＮＯ）、さらに、再接続の試行から過去の所定期間内に端末ＵＥｂのハンドオーバ要求をセルＹから受信していたか否かを判定する（動作Ｓ２１０）。所定期間内に端末ＵＥｂのハンドオーバ要求をセルＹから受信していれば（動作Ｓ２１０；ＹＥＳ）、ハンドオーバ失敗検出部１０３は、Incoming HO失敗を検出して（動作Ｓ２０５）、処理を終了する。なお、再接続を試行した端末ＵＥｂがなかった場合（動作Ｓ２０６；ＮＯ）、端末ＵＥｂのHO ReportメッセージをセルＹから受信した場合（動作Ｓ２０９；ＹＥＳ）、あるいは所定期間内に端末ＵＥｂのハンドオーバ要求をセルＹから受信していなかった（動作Ｓ２１０；ＮＯ）には、そのまま処理を終了する。
【００４３】
上述したように、移動端末がセル３５Ｂに入ってくるハンドオーバ（Incoming HO）の失敗の検出は２系統に分かれる。まず、RLF Indicationメッセージを受信した場合には（動作Ｓ２０１；ＹＥＳ）、たとえば図５を参照すれば、RLF Indicationメッセージの受信より前に端末ＵＥａのIncoming HOが完了しているものの、当該移動端末のハンドオーバが完了した時点がRLF Indicationメッセージの受信（すなわち、異常切断の通知）より前の所定期間内(Tstore_UE_cntxt)であることから、Incoming HOの失敗と判断する。他方、RLF Indicationを受信せずに（動作Ｓ２０１；ＮＯ）、セル３５Ｂに再接続を試行した端末ＵＥｂがあった場合には（動作Ｓ２０６；ＹＥＳ）、たとえば図５を参照すれば、他のセルからHO Reportメッセージを受信せず、かつ、再接続から過去の所定期間内に、同じ端末ＵＥｂに関するハンドオーバ要求を受信していることから、Incomingハンドオーバ失敗と判断する。
【００４４】
１．５）ハンドオーバ最適化（第１例）
次に、図７を参照しながら、ネットワーク管理システム２０のハンドオーバ最適化部２０１の動作を説明する。
【００４５】
図７は本実施形態におけるＨＯ最適化動作を示すフローチャートである。図７において、ネットワーク管理システム２０は基地局からハンドオーバ統計情報を取得し品質統計記憶部２０２に格納する（動作Ｓ３０１）。ハンドオーバ統計情報には、各基地局で集計されたIncoming HOの要求数および失敗数とOutgoing HOの成功数および失敗数とが含まれる。ハンドオーバ抑制最適化部２０３は、取得したハンドオーバ統計情報に基づいて、ハンドオーバ品質を示すハンドオーバ失敗率Ｒｆを計算する（動作Ｓ３０２）。ハンドオーバ失敗率Ｒｆは次にように計算することができる。
・ＨＯ失敗率の定義１：
Ｒｆ＝(Outgoing HO失敗数 + Incoming HO失敗数)/(Outgoing HO成功数 + Outgoing HO失敗数 + Incoming HO要求数)
【００４６】
続いて、ハンドオーバ抑制最適化部２０３は、品質統計記憶部２０２に格納されたハンドオーバ統計情報を読み出して、ハンドオーバ抑制パラメータを変更する前に比べて、ハンドオーバ失敗率が増加したか否かを判定する（動作Ｓ３０３）。ハンドオーバ抑制パラメータ変更前よりハンドオーバ失敗率が減少していなければ（動作Ｓ３０３；ＮＯ）、ハンドオーバ抑制を緩和する方向にハンドオーバ抑制パラメータを変更する（動作Ｓ３０４）。ハンドオーバ抑制パラメータが保留時間Ｔであれば、ハンドオーバ抑制は保留時間Ｔの増加により強化され、減少により緩和される。
【００４７】
ハンドオーバ抑制パラメータの変更前よりハンドオーバ失敗率が減少していれば（動作Ｓ３０３；ＹＥＳ）、ハンドオーバ抑制最適化部２０３は、ハンドオーバ抑制パラメータを強化する方向に変更する（動作Ｓ３０５）。こうして動作Ｓ３０４あるいはＳ３０５により決定されたハンドオーバ抑制パラメータが基地局へ通知される（動作Ｓ３０６）。
【００４８】
上述したように、ハンドオーバ最適化部２０１は、ハンドオーバ抑制パラメータの変更前後のハンドオーバ失敗率の変化量に基づいて、ハンドオーバ抑制パラメータを逐次的に変更し基地局へ通知する。
【００４９】
１．６）ハンドオーバ最適化（第２例）
ＨＯ失敗率Ｒｆは、上述した定義の他に、次のように定義して計算することもできる。
・ＨＯ失敗率の定義２：
Ｒｆ＝(Outgoing Too Late HO数 + Incoming HO失敗数)/(Outgoing HO成功数 + Outgoing Too Late HO数 + Incoming HO要求数)
【００５０】
この定義の場合も、ＨＯ最適化動作のフローは図７に示す通りであるから説明は省略するが、ＨＯ失敗の種別（Outgoing Too Late HO）を検出する必要がある。Outgoing Too Late HOは、図５（Ａ）で説明したように、次の条件を満たすことで検出することができる。
・条件１：ソースセルの基地局が、ターゲットセル （ハンドオーバが開始されている場合）、又はソースセルとは異なるセル（ハンドオーバが開始されていない場合）からRLF-Indicationメッセージを受信したこと。
・条件２：RLF-Indication受信に先立つ所定期間内(Tstore_UE_cntxt)に他のセルへUE Context Releaseメッセージを送信していないこと。
【００５１】
１．７）ＨＯ応答保留の他の例
上述したハンドオーバ抑制パラメータで指定された時間ＴだけＨＯ応答を保留する動作では（図４の動作Ｓ１０３）、ハンドオーバ要求元のセルごとに個別の保留時間Ｔｓを適用してもよい。この場合、ハンドオーバ失敗検出部１０３は、Incoming HOの要求数および失敗数についてはハンドオーバ要求元のセルごとに集計し（動作Ｓ１０６）、ハンドオーバ統計情報をネットワーク管理システム２０へ報告する（動作Ｓ１０８）。ネットワーク管理システム２０のハンドオーバ抑制最適化部２０３は、ハンドオーバ要求元のセルごとに集計したIncoming HOの統計情報と、ソースセル単位で集計したOutgoing HOの統計情報をもとに、ハンドオーバ要求元のセルごとのハンドオーバ失敗率Ｒｆを計算し、それに応じた保留時間Ｔｓを調整して各基地局へ送信する。
【００５２】
このようにハンドオーバ要求元のセルごとに保留時間Ｔｓを設定することで、セルごとの保留時間の最適値のばらつきが大きい場合にIncoming HO抑制を原因とするOutgoing HO失敗をより効果的に抑えることができる。
【００５３】
１．８）効果
本発明の第１実施形態によれば、他セルを管理する基地局からハンドオーバの要求を受けると、当該ハンドオーバ要求に対する応答を時間Ｔだけ保留することでハンドオーバを抑制し、ハンドオーバ最適化部は、ハンドオーバ抑制後のハンドオーバ品質に応じてハンドオーバ抑制の度合い（保留時間Ｔ）を調整する。これにより、他セルのＨＯパラメータを調節できない環境における他セルからの入ハンドオーバを時間的に制御することができ、この入ハンドオーバを原因とするハンドオーバ失敗を低減することができる。
【００５４】
２．第２実施形態
本発明の第２実施形態によれば、移動状態が所定条件を満たす移動端末を選択してハンドオーバ抑制を制御する点が上述した第１実施形態と異なる。以下、第１実施形態と異なる点を中心として、第２実施形態による無線通信システムおよび基地局の動作について詳細に説明する。
【００５５】
２．１）システム構成
図８は本発明の第２実施形態による無線通信システムにおける基地局およびネットワーク管理システムの概略的構成を示すブロック図である。ただし、図３に示す第１実施形態のシステム構成と同じ機能のブロックには同一参照番号を付して説明は省略する。
【００５６】
セル３５Ｂを管理する基地局３０Ｂは、本実施形態の動作に関連する機能として、ハンドオーバ抑制部１０２、ハンドオーバ失敗検出部１０３および移動端末選択部１０４を有する。移動端末選択部１０４は移動状態が所定条件を満たす移動端末を選択し、ハンドオーバ抑制部１０２は、選択された移動端末に対してIncoming HOを抑制する。以下、基地局３０Ｂおよびネットワーク管理システム２０の動作について詳細に説明する。
【００５７】
２．２）基地局の動作
図９は第２実施形態による基地局の動作を示すフローチャートである。図９において、まず、基地局３０Ｂのハンドオーバ抑制部１０２はネットワーク管理システム２０からハンドオーバ抑制パラメータを取得する（動作Ｓ４０１）。本実施形態において、ハンドオーバ抑制パラメータはハンドオーバ応答の保留時間Ｔおよび移動端末の選択基準閾値を含む。選択基準閾値は、ハンドオーバ失敗の可能性が高くなる移動状態を考慮して決定され、たとえば移動端末の移動速度閾値Ｖあるいは移動端末のセル平均滞在時間の閾値Ｔaveを用いることができる。
【００５８】
続いて、ハンドオーバ制御部１０１Ｂが基地局３０Ａから移動端末１０のハンドオーバ要求を受信すると（動作Ｓ４０２；ＹＥＳ）、移動端末選択部１０４は上記移動端末選択基準に従ってハンドオーバを抑制すべき移動端末を選択する（動作Ｓ４０３）。選択基準が移動速度閾値Ｖであれば、移動速度が閾値Ｖ以上の移動端末をハンドオーバ抑制対象として選択し、選択基準がセル平均滞在時間閾値Ｔaveであれば、過去に滞在したセルの平均滞在時間が閾値Ｔave以下の移動端末をハンドオーバ抑制対象として選択する。なお、移動端末の過去のセル滞在時間は、たとえば非特許文献３に規定されている、ＨＯ要求時に要求元の基地局から通知されるUE History Informationから取得することができる。また、選択基準が移動速度閾値Ｖの場合には移動速度がＶ未満の移動端末、選択基準がセル平均滞在時間閾値Ｔaveの場合には平均滞在時間が閾値Ｔaveより長い移動端末を、それぞれハンドオーバ抑制対象として選択しても構わない。
【００５９】
ハンドオーバ抑制部１０２は、ハンドオーバ要求対象の移動端末１０が移動端末選択部１０４により選択された移動端末か否かを判定する（動作Ｓ４０４）。移動端末１０が選択されたものであれば（動作Ｓ４０４；ＹＥＳ）、ハンドオーバ抑制部１０２は、ハンドオーバ要求に対する応答の送信をハンドオーバ抑制パラメータで指定された時間Ｔだけ保留し（動作Ｓ４０５）、保留時間Ｔが経過した時点でハンドオーバ許可の応答を基地局３０Ａへ返す（動作Ｓ４０６）。移動端末１０が選択されたものでなければ（動作Ｓ４０４；ＮＯ）、保留せずにハンドオーバ許可応答を基地局３０Ａへ返す（動作Ｓ４０６）。
【００６０】
続いて、ハンドオーバ失敗検出部１０３は、セル３５Ｃを管理する基地局３０Ｃからハンドオーバ失敗情報を取得すると、第１実施形態（図４）で説明したように、ハンドオーバ失敗の分析を行い（動作Ｓ４０７）、Incoming HOの要求数および失敗数とOutgoing HOの成功数および失敗数とを集計し（動作Ｓ４０８およびＳ４０９）、ハンドオーバ統計情報をネットワーク管理システム２０へ報告する（動作Ｓ４１０）。ハンドオーバ統計情報には、動作Ｓ４０８およびＳ４０９で集計されたIncoming HOの要求数および失敗数とOutgoing HOの成功数および失敗数とが含まれる。
【００６１】
２．３）ハンドオーバ最適化
本実施形態におけるネットワーク管理システム２０のハンドオーバ抑制最適化部２０３は、基本的には図７に示すように動作するが、保留時間の閾値だけでなく、移動端末の選択基準の閾値も調整する点が異なっている。以下、この異なる点について説明する。
【００６２】
図７に示すように、各基地局からハンドオーバ統計情報を取得すると（動作Ｓ３０１）、ハンドオーバ抑制最適化部２０３は、取得したハンドオーバ統計情報に基づいて、ハンドオーバ失敗率Ｒｆを計算し（動作Ｓ３０２）、ハンドオーバ抑制パラメータを変更する前に比べて、ハンドオーバ失敗率が増加したか否かを判定する（動作Ｓ３０３）。ハンドオーバ抑制最適化部２０３は、ハンドオーバ失敗率の変化に従って、移動端末の選択基準の閾値を次のように調整する。
【００６３】
＜選択基準が移動速度閾値Ｖの場合＞
移動速度が閾値Ｖ以上の移動端末をハンドオーバ抑制対象として選択する場合、ハンドオーバ抑制パラメータ変更前よりハンドオーバ失敗率Ｒｆが減少していなければ（動作Ｓ３０３；ＮＯ）、ハンドオーバ抑制を緩和する方向にハンドオーバ抑制パラメータを変更する（動作Ｓ３０４）。すなわち、移動速度閾値Ｖを増加させる。ハンドオーバ抑制パラメータの変更前よりハンドオーバ失敗率が減少していれば（動作Ｓ３０３；ＹＥＳ）、ハンドオーバ抑制パラメータを強化する方向に変更する（動作Ｓ３０５）。すなわち、移動速度閾値Ｖを減少させる。なお、移動速度が閾値Ｖ未満の移動端末をハンドオーバ抑制の対象として選択する場合には、移動速度閾値Ｖを減少させることでハンドオーバ抑制を緩和し、移動速度閾値Ｖを増加させることでハンドオーバ抑制を強化しても構わない。
【００６４】
＜選択基準がセル平均滞在時間閾値Ｔaveの場合＞
過去に滞在したセルの平均滞在時間が閾値Ｔave以下移動端末をハンドオーバ抑制対象として選択する場合、ハンドオーバ抑制パラメータ変更前よりハンドオーバ失敗率Ｒｆが減少していなければ（動作Ｓ３０３；ＮＯ）、平均滞在時間閾値Ｔaveを減少させてハンドオーバ抑制を緩和する方向にハンドオーバ抑制パラメータを変更する（動作Ｓ３０４）。ハンドオーバ抑制パラメータの変更前よりハンドオーバ失敗率Ｒｆが減少していれば（動作Ｓ３０３；ＹＥＳ）、平均滞在時間閾値Ｔaveを増加させてハンドオーバ抑制を強化する方向にハンドオーバ抑制パラメータを変更する（動作Ｓ３０５）。なお、セルの平均滞在時間が閾値Ｔaveより長い移動端末をハンドオーバ抑制対象として選択する場合には、平均滞在時間閾値Ｔaveを増加させることでハンドオーバ抑制を緩和し、平均滞在時間閾値Ｔaveを減少させることでハンドオーバ抑制を強化しても構わない。
【００６５】
なお、移動端末の選択基準の閾値を調整して閾値が所定の限界値に達した場合には、閾値に対して反対側の移動端末を選択するように基準を切り替えてもよい。たとえば、移動速度が閾値Ｖ以上の移動端末を選択する場合、閾値Ｖを増やして上限値に達したら、閾値Ｖ未満の移動端末を選択するように切り替える。
【００６６】
上述したように、ハンドオーバ最適化部２０１は、ハンドオーバ抑制パラメータ（保留時間Ｔおよび選択基準閾値）の変更前後のハンドオーバ失敗率の変化量に基づいて、ハンドオーバ抑制パラメータを逐次的に変更し基地局へ通知する。
【００６７】
２．４）効果
本発明の第２実施形態によれば、他セルを管理する基地局からハンドオーバの要求を受けると、当該ハンドオーバ要求対象である移動端末が所定選択基準を満たしているならば、当該移動端末のハンドオーバを抑制し、ハンドオーバ最適化部は、ハンドオーバ抑制後のハンドオーバ品質に応じてハンドオーバ抑制の度合い（保留時間Ｔおよび選択基準閾値）を調整する。これにより、第１実施形態の効果に加えて、ハンドオーバ失敗の可能性が高い移動端末に対してのみハンドオーバ抑制を行い、ハンドオーバ抑制が不要と判断された移動端末については遅延なくハンドオーバを開始することができる。
【００６８】
３．第３実施形態
本発明の第３実施形態によれば、移動状態が所定条件を満たす移動端末を選択し、選択された移動端末のみ他セルからのハンドオーバを拒否する点が上述した第２実施形態と異なる。第３実施形態による無線通信システムの構成は、第２実施形態で説明した図８に示すシステム構成と同じである。以下、第２実施形態と異なる点を中心として、第３実施形態による無線通信システムおよび基地局の動作について詳細に説明する。
【００６９】
図１０は第３実施形態による基地局の動作を示すフローチャートである。図１０において、まず、基地局３０Ｂのハンドオーバ抑制部１０２はネットワーク管理システム２０からハンドオーバ抑制パラメータを取得するが（動作Ｓ４０１）、本実施形態において、ハンドオーバ抑制パラメータは移動端末の選択基準の閾値のみが含まれる。選択基準としては、第２実施形態と同様に、移動端末の移動速度閾値Ｖあるいは移動端末のセル平均滞在時間の閾値Ｔaveを用いることができる。
【００７０】
続いて、基地局３０Ａから移動端末１０のハンドオーバ要求を受信し（動作Ｓ４０２；ＹＥＳ）、ハンドオーバを抑制すべき移動端末がハンドオーバ要求対象の移動端末１０であれば（動作Ｓ４０３、Ｓ４０４；ＹＥＳ）、ハンドオーバ抑制部１０２は、ハンドオーバ要求元の基地局３０Ａへハンドオーバ拒否応答を返す（動作Ｓ４２０）。移動端末１０が選択されたものでなければ（動作Ｓ４０４；ＮＯ）、ハンドオーバ抑制部１０２はハンドオーバ許可応答を基地局３０Ａへ返す（動作Ｓ４０６）。ハンドオーバ拒否応答あるいは許可応答が送信されると、ハンドオーバ失敗検出部１０３は、第２実施形態と同様に、動作Ｓ４０７〜Ｓ４１０を実行する。
【００７１】
各基地局からハンドオーバ統計情報を取得したネットワーク管理システム２０のハンドオーバ抑制最適化部２０３は、取得したハンドオーバ統計情報に基づいて、ハンドオーバ失敗率Ｒｆを計算し、ハンドオーバ失敗率の変化に従って、移動端末の選択基準の閾値を第２実施形態と同様に調整する。このように、ハンドオーバ最適化部２０１は、ハンドオーバ抑制パラメータ（選択基準閾値）の変更前後のハンドオーバ失敗率の変化量に基づいて、ハンドオーバ抑制パラメータを逐次的に変更し基地局へ通知する。
【００７２】
以上説明したように、本発明の第３実施形態によれば、移動端末１０がハンドオーバ抑制対象であれば、ハンドオーバ拒否応答が即座に基地局３０Ａへ返される。したがって、第３実施形態によれば、上述した第２実施形態の効果に加えて、基地局３０Ａがハンドオーバ応答を受けるまで他のセルへハンドオーバ要求を出せない場合であっても、ハンドオーバ拒否応答を即座に受けることができ、ハンドオーバ開始の遅れを原因とするハンドオーバ失敗を低減させることができる。
【００７３】
４．第４実施形態
本発明の第４実施形態によれば、入ハンドオーバ対象の移動端末が既に所定回数以上ハンドオーバ拒否されている場合、当該ハンドオーバを許可する点が上述した第３実施形態と異なる。第４実施形態による無線通信システムの構成は、第２実施形態で説明した図８に示すシステム構成と同じである。以下、第３実施形態と異なる点を中心として、第４実施形態による無線通信システムおよび基地局の動作について詳細に説明する。
【００７４】
図１１は第４実施形態による基地局の動作を示すフローチャートである。図１１において、まず、基地局３０Ｂのハンドオーバ抑制部１０２はネットワーク管理システム２０からハンドオーバ抑制パラメータを取得するが（動作Ｓ４０１）、本実施形態において、ハンドオーバ抑制パラメータは移動端末の選択基準の閾値のみが含まれる。選択基準としては、第３実施形態と同様に、移動端末の移動速度閾値Ｖあるいは移動端末のセル平均滞在時間の閾値Ｔaveを用いることができる。
【００７５】
続いて、基地局３０Ａから移動端末１０のハンドオーバ要求を受信し（動作Ｓ４０２；ＹＥＳ）、ハンドオーバを抑制すべき移動端末がハンドオーバ要求対象の移動端末１０であれば（動作Ｓ４０３、Ｓ４０４；ＹＥＳ）、ハンドオーバ抑制部１０２は、当該移動端末１０が過去に所定回数Ｍ以上ハンドオーバ拒否されたか否かを判定する（動作Ｓ４３０）。ハンドオーバ拒否回数がＭ回に到達していなければ（動作Ｓ４３０；ＮＯ）、ハンドオーバ抑制部１０２はハンドオーバ要求元の基地局３０Ａへハンドオーバ拒否応答を返す（動作Ｓ４２０）。移動端末１０が選択されたものでない場合（動作Ｓ４０４；ＮＯ）あるいはハンドオーバ拒否回数がＭ回に到達した場合（動作Ｓ４３０；ＹＥＳ）、ハンドオーバ抑制部１０２はハンドオーバ許可応答を基地局３０Ａへ返す（動作Ｓ４０６）。ハンドオーバ拒否応答あるいは許可応答が送信されると、ハンドオーバ失敗検出部１０３は、第２実施形態と同様に、動作Ｓ４０７〜Ｓ４１０を実行する。
【００７６】
各基地局からハンドオーバ統計情報を取得したネットワーク管理システム２０のハンドオーバ抑制最適化部２０３は、取得したハンドオーバ統計情報に基づいて、ハンドオーバ失敗率Ｒｆを計算し、ハンドオーバ失敗率の変化に従って、移動端末の選択基準の閾値を第２実施形態と同様に調整する。このように、ハンドオーバ最適化部２０１は、ハンドオーバ抑制パラメータ（選択基準閾値）の変更前後のハンドオーバ失敗率の変化量に基づいて、ハンドオーバ抑制パラメータを逐次的に変更し基地局へ通知する。
【００７７】
以上説明したように、本発明の第４実施形態によれば、ハンドオーバ抑制対象である移動端末のハンドオーバ要求が所定回数に達するまで拒否される。したがって、第４実施形態によれば、上述した第３実施形態の効果に加えて、移動端末の選択基準が自セルにとって最適ではない場合のハンドオーバ失敗を低減させることができる。
【００７８】
５．第５実施形態
本発明の第５実施形態によれば、他セルを管理する基地局からハンドオーバ要求を受信したとき、ハンドオーバ最適化部が調整した保留時間Ｔが上限値に達していれば、当該入ハンドオーバを拒否する応答を返す点が上述した第１〜第４実施形態と異なる。第５実施形態による無線通信システムの構成は、第２実施形態で説明した図８に示すシステム構成と同じである。以下、第１〜第４実施形態と異なる点を中心として、第５実施形態による無線通信システムおよび基地局の動作について詳細に説明する。
【００７９】
図１２は第５実施形態による基地局の動作を示すフローチャートである。図１２において、まず、基地局３０Ｂのハンドオーバ抑制部１０２はネットワーク管理システム２０からハンドオーバ抑制パラメータを取得するが（動作Ｓ４０１）、本実施形態において、ハンドオーバ抑制パラメータは保留時間Ｔと移動端末の選択基準の閾値が含まれる。選択基準としては、第２実施形態と同様に、移動端末の移動速度閾値Ｖあるいは移動端末のセル平均滞在時間の閾値Ｔaveを用いることができる。
【００８０】
続いて、基地局３０Ａから移動端末１０のハンドオーバ要求を受信し（動作Ｓ４０２；ＹＥＳ）、ハンドオーバを抑制すべき移動端末がハンドオーバ要求対象の移動端末１０であれば（動作Ｓ４０３、Ｓ４０４；ＹＥＳ）、ハンドオーバ抑制部１０２は、ハンドオーバ抑制パラメータの保留時間Ｔが所定の上限値に達しているか否かを判定する（動作Ｓ４４０）。上限値に達していなければ（動作Ｓ４４０；ＮＯ）、ハンドオーバ抑制部１０２は、ハンドオーバ要求に対する応答の送信をハンドオーバ抑制パラメータで指定された時間Ｔだけ保留し（動作Ｓ４４１）、保留時間Ｔが経過した時点でハンドオーバ許可の応答を基地局３０Ａへ返す（動作Ｓ４４２）。
【００８１】
移動端末１０が選択されたものでなければ（動作Ｓ４０４；ＮＯ）、ハンドオーバ抑制部１０２は保留することなくハンドオーバ許可応答を基地局３０Ａへ返す（動作Ｓ４４２）。また、保留時間Ｔが所定の上限値に達していれば（動作Ｓ４４０；ＹＥＳ）、ハンドオーバ抑制部１０２は保留することなくハンドオーバ拒否応答を基地局３０Ａへ返す（動作Ｓ４４３）。ハンドオーバ拒否応答あるいは許可応答が送信されると、ハンドオーバ失敗検出部１０３は、第２実施形態と同様に、動作Ｓ４０７〜Ｓ４１０を実行する。
【００８２】
各基地局からハンドオーバ統計情報を取得したネットワーク管理システム２０のハンドオーバ抑制最適化部２０３は、取得したハンドオーバ統計情報に基づいて、ハンドオーバ失敗率Ｒｆを計算し、ハンドオーバ失敗率の変化に従って、保留時間Ｔおよび移動端末の選択基準の閾値を第２実施形態と同様に調整する。このように、ハンドオーバ最適化部２０１は、ハンドオーバ抑制パラメータ（保留時間Ｔおよび選択基準閾値）の変更前後のハンドオーバ失敗率の変化量に基づいて、ハンドオーバ抑制パラメータを逐次的に変更し基地局へ通知する。
【００８３】
以上説明したように、本発明の第５実施形態によれば、他セルを管理する基地局からハンドオーバ要求を受信したとき、移動端末１０がハンドオーバ抑制対象で保留時間Ｔが上限値に達していれば当該ハンドオーバの拒否応答を即座に基地局３０Ａへ返し、保留時間Ｔが上限に達していなければハンドオーバ許可応答を時間Ｔだけ保留し、移動端末１０がハンドオーバ抑制対象でなければハンドオーバ許可応答が即座に基地局３０Ａへ返す。したがって、第５実施形態によれば、上述した第１〜第４実施形態の効果に加えて、移動端末の選択基準が自セルにとって最適ではない場合のハンドオーバ失敗を低減させることができ、さらに、ハンドオーバ要求元の基地局が他のセルへのハンドオーバができない場合にハンドオーバ開始の遅れを原因とするハンドオーバ失敗が生じにくい。
【産業上の利用可能性】
【００８４】
本発明は移動通信システムにおけるセル間ハンドオーバ制御に利用可能である。
【符号の説明】
【００８５】
１０、１０ａ、１０ｂ  移動端末
２０  ネットワーク管理システム
３０、３０Ａ、３０Ｂ  基地局（ｅＮＢ）
１０１、１０１Ａ、１０１Ｂ、１０１Ｃ  ハンドオーバ制御部
１０２  ハンドオーバ抑制部
１０３  ハンドオーバ失敗検出部
１０４  移動端末選択部
２０１  ハンドオーバ最適化部
２０２  品質統計記憶部
２０３  ハンドオーバ抑制最適化部
【図１】
2014024438.tif 000003
【図２】
2014024438.tif 000004
【図３】
2014024438.tif 000005
【図４】
2014024438.tif 000006
【図５】
2014024438.tif 000007
【図６】
2014024438.tif 000008
【図７】
2014024438.tif 000009
【図８】
2014024438.tif 000010
【図９】
2014024438.tif 000011
【図１０】
2014024438.tif 000012
【図１１】
2014024438.tif 000013
【図１２】
2014024438.tif 000014
【国際調査報告】
2014024438.tif 000015
2014024438.tif 000016